(57)【要約】【課題】上吊りカムを簡単な構造で円滑な動きをするようにしたプレス型を低コストで提供するを提供する。【解決手段】下型１にワーク端縁の曲げ刃５を有する案内カム４をワーク受台１４に隣接して設け、上型１に案内カム４の曲げ刃５に対接してワーク端縁を曲げ加工する曲げ刃９を備え、かつ案内カム４に対し接近及び離間するようパッド３の近傍に振り子状に揺動可能に支持され、カムフォロワー８を有する上吊りカム６を設け、下型２に上型１の下降によって上吊りカム６のカムフォロワー８が接触し該上吊りカム６を案内カム４の方向に揺動させるガイドプレート１１を備えたドライバ１０を案内カム４の近傍に配置した。また、上吊りカム６は上吊りカム戻し用手段により案内カム４に対し離間する方向に付勢した。【選択図】　　　　図１
2004122201.tif 000002
【特許請求の範囲】
【請求項１】
ワーク受台を有する下型と、この下型に対し下降して前記ワーク受台に搬入されたワークを押さえるパッドを有する上型とからなるプレス型において、前記下型にワーク端縁の曲げ刃を有する案内カムを前記ワーク受台に隣接して設け、前記上型に前記案内カムの曲げ刃に対接してワーク端縁を曲げ加工する曲げ刃を備え、かつ前記案内カムに対し接近及び離間するよう前記パッドの近傍に振り子状に揺動可能に支持され、カムフォロワーを有する上吊りカムを設け、前記下型に前記上型の下降によって前記上吊りカムのカムフォロワーが接触し該上吊りカムを案内カムの方向に揺動させる傾斜したガイドプレートを備えたドライバを前記案内カムの近傍に配置したことを特徴とするプレス型。
【請求項２】
上吊りカムは軸受を介して上型に揺動可能に支持され、上吊りカム戻し用手段により案内カムに対し離間する方向に付勢した請求項１に記載のプレス型。
【発明の詳細な説明】
【０００１】
【発明の属する技術分野】
本発明は、ワーク端縁を曲げ加工するプレス型に関するものである。
【０００２】
【従来の技術】
【非特許文献】ワーク端縁を曲げ加工する一般的なプレス型を図５で示す。
【特許文献】上吊りカムでワーク端縁を曲げ加工するプレス型は特開平１１−１０２３４号公報で開示されている。
【０００３】
図５で示すプレス型は、ワーク受台２６を有する下型２と、この下型２に対し下降して前記ワーク受台２６に搬入されたワークを押さえるパッド３を有する上型１とからなるプレス型において、前記下型２にワーク端縁の曲げ刃２１を有する案内カム２０を前記ワーク受台２６に隣接して設け、この案内カム２０上に水平方向に進退スライドして案内カム２０の前記曲げ刃２１と対接する曲げ刃２４によりワーク端縁を曲げ加工する加工カム２３を備え、上型１に前記案内カム２０と加工カム２３とに接触して加工カム２３を前進移動させるドライバを備え、この加工カム２３を前進移動によりワーク端縁を曲げ加工するようにした構造である。
また、特開平１１−１０２３４号公報で開示されているプレス型は、上型１０にパッド１６と、このパッド１６の近傍に先行部材３０を備えた上吊りカム１４が案内機構により摺動可能に設けられ、下型２０にはワーク受台２４と、ワークを曲げ加工位置に案内するロータリカム２６とを備え、上型１０の下降によりロータリカム２６でワークを曲げ加工位置に案内し、上吊りカム１４をローラを介して先行部材３０に設けられているガイドプレート２７に沿って前進摺動させてワーク端縁を曲げ加工するようにした構造である。
【０００４】
【発明が解決しようとする課題】
上記図５で示すプレス型では、下型２にワーク端縁の曲げ刃２１を有する案内カム２０を前記ワーク受台２６に隣接して設け、この案内カム２０上に水平方向に進退スライドして案内カム２０の前記曲げ刃２１と対接する曲げ刃２４によりワーク端縁を曲げ加工する加工カム２３を備えているため、構造が複雑でコスト高であると共に、これらの案内カム２０と加工カム２３とによりプレス型を大型としており、広い型置き場面積を必要としている。
また、特開平１１−１０２３４号公報で開示されているプレス型は、上吊りカム構造によりコンパクトな型形態とし、上記図５で示すプレス型の問題点を解消しているが、上吊りカムは案内機構による面接触で摺動して進退作動する構造であるために、摺動抵抗が作用してガイドプレート２７に沿って移動する上吊りカム進退作動の円滑性に難点を有しており、金属のかたまりのような案内機構の重量により上型の総重量を重くしていて、ホイスト等で機械的に型交換作業を行うが、型交換作業が容易ではなくコストも高くしている。
【０００５】
本発明の目的は、上吊りカムを簡単な構造で円滑な動きをするようにしたプレス型を低コストで提供することである。
【０００６】
【課題を解決するための手段】
上記の目的を達成するための本発明は、請求項１に記載した通り、ワーク受台を有する下型と、この下型に対し下降して前記ワーク受台に搬入されたワークを押さえるパッドを有する上型とからなるプレス型において、前記下型にワーク端縁の曲げ刃を有する案内カムを前記ワーク受台に隣接して設け、前記上型に前記案内カムの曲げ刃に対接してワーク端縁を曲げ加工する曲げ刃を備え、かつ前記案内カムに対し接近及び離間するよう前記パッドの近傍に振り子状に揺動可能に支持され、カムフォロワーを有する上吊りカムを設け、前記下型に前記上型の下降によって前記上吊りカムのカムフォロワーが接触し該上吊りカムを案内カムの方向に揺動させる傾斜したガイドプレートを備えたドライバを前記案内カムの近傍に配置したことを特徴とするものである。
【０００７】
また、請求項２に記載した通り、前記上吊りカムは軸受を介して上型に揺動可能に支持され、上吊りカム戻し用手段により案内カムに対し離間する方向に付勢したことを特徴とするものである。
【０００８】
【発明の実施の形態】
以下本発明の実施の形態を図面に基づいて説明する。　図１において、１は上型であり、２は下型である。この下型２にはワークが載置されるワーク受台１４を有している。また、上型１には前記ワーク受台１４に搬入されたワークを押さえるパッド３を有している。
【０００９】
本発明は上記のプレス型において、前記下型２にワーク端縁の曲げ刃５を有する案内カム４を前記ワーク受台１４に隣接して設け、前記上型１に前記案内カム４の曲げ刃５に対接してワーク端縁を曲げ加工する曲げ刃９を備え、かつ前記案内カム４に対し接近及び離間するよう前記パッド３の近傍に支持軸７を支点にして振り子状に揺動可能に支持され、カムフォロワー８を有する上吊りカム６を設け、前記下型２に前記上型１の下降によって前記上吊りカム６のカムフォロワー８が接触し該上吊りカム６を案内カム４の方向に揺動させる傾斜したガイドプレート１１を備えたドライバ１０を前記案内カム４の近傍に配置したものである。
【００１０】
前記上吊りカム６は図４で示すように、その両端に設けられている支持軸７を上型１に固定した軸受１２に回転可能に支持されており、上吊りカム戻し用手段により案内カム４に対し離間する方向に付勢されている。この上吊りカム戻し用手段はガススプリング１３が適当である。
【００１１】
上記の構造による本発明のプレス型の動作について以下説明する。図１は上型１の下降途中を示し、上吊りカム６はガススプリング１３で後退位置である原位置に付勢されている。上型１がさらに下降して図２で示すように、上吊りカム６のカムフォロワー８がドライバ１０のガイドプレート１１に当接し、上型１の下降によってこのガイドプレート１１の傾斜面に案内されて上吊りカム６は支持軸７を支点にして前方移動、すなわち、案内カム４の方向に回動する。この時、上吊りカム６はガススプリング１３で後退方向に付勢されているため、カムフォロワー８はドライバ１０のガイドプレート１１に押圧接触してガイドプレート１１から浮き上がることなく上吊りカム６を確実に案内カム４の方向に回動する。
【００１２】
そして、上型１が下死点に下降したとき図３で示すように、上吊りカム６は最前方に回動して上吊りカム６の曲げ刃９が案内カム４の曲げ刃５の下面に潜り込むようにして対接し、ワーク受台１４上のワーク端縁を「く」の字状に曲げ加工するのである。
【００１３】
上記ワーク端縁の曲げ加工を完了すると上型１は下死点から上昇に移り、これに伴い上吊りカム６のカムフォロワー８はドライバ１０のガイドプレート１１の傾斜面を上昇しガススプリング１３による付勢で上吊りカム６を漸次後退方向に回動して上型１の上昇端で後退位置である原位置に戻され、加工工程を終了するのである。
【００１４】
【発明の効果】
以上のように本発明によると、上型に設けられている上吊りカムは軸受に支持した支持軸によって振り子状に揺動可能に支持されているため、上吊りカムの前後方向の移動は摩擦抵抗の少ない円滑な動きが得られ、この上吊りカムを作動するものは下型に設けられたドライバであるため、ロータリカムを上吊りカムに装備する必要がなく、シンプルな構造で軽量化が図られる。また、上吊りカム戻し用手段によりカムフォロワーはドライバのガイドプレートに押圧接触してガイドプレートから浮き上がることなく上吊りカムを確実に案内カムの方向に回動しワーク端縁を精度良く曲げ加工する利点を有している。
【図面の簡単な説明】
【図１】本発明プレス型の上型下降途中の状態を示す要部断面図
【図２】上吊りカムがドライバに接触した状態を示す要部断面図
【図３】上型の下死点状態を示す要部断面図
【図４】本発明プレス型における上吊りカムの斜視図
【図５】従来のプレス型の断面図
【符号の説明】
１　　　上型
２　　　下型
３　　　パッド
４　　　案内カム
５　　　曲げ刃
６　　　上吊りカム
７　　　支持軸
８　　　カムフォロワー
９　　　曲げ刃
１０　　　ドライバ
１１　　　ガイドプレート
１２　　　軸受
１３　　　ガススプリング
１４　　　ワーク受台
【図１】
2004122201.tif 000003
【図２】
2004122201.tif 000004
【図３】
2004122201.tif 000005
【図４】
2004122201.tif 000006
【図５】
2004122201.tif 000007